(57)【要約】【課題】種類の異なるシート媒体であっても最適な書き込み品質を確保することのできる処理装置および処理システムを提供することを目的とする。【解決手段】書き込み装置１０は、コロナイオン流をシート媒体１００の表面に選択的に照射するライン型ヘッド２０と、基準電極３０と、シート媒体１００の種類を判定する判定手段４０とを備えている。判定手段４０は、書き込み装置１０に挿入されたシート媒体１００の種類を判定する。ライン型ヘッド２０は、判定手段４０による判定の結果に基づいて、シート媒体１００に目視できる情報の書き込みおよび消去を行うための所定の電界を生成する。【選択図】図１
2006035478.tif 000002
【特許請求の範囲】
【請求項１】
電界の作用により光学的特性が可逆的に変化するシート媒体に目視できる情報の書き込みを行うための所定の電界を生成する電界生成手段を有する処理装置であって、
前記シート媒体の種類を判定する判定手段を備え、
前記電界生成手段は、
前記判定手段によって判定されたシート媒体の種類に対応する前記所定の電界を生成することを特徴とする処理装置。
【請求項２】
電界の作用により光学的特性が可逆的に変化するシート媒体に書き込まれている目視できる情報の消去を行うための所定の電界を生成する電界生成手段を有する処理装置であって、
前記シート媒体の種類を判定する判定手段を備え、
前記電界生成手段は、
前記判定手段によって判定されたシート媒体の種類に対応する前記所定の電界を生成することを特徴とする処理装置。
【請求項３】
前記電界生成手段は、
コロナイオンを照射制御することにより静電像による電界を生成することを特徴とする請求項１または２記載の処理装置。
【請求項４】
前記電界生成手段は、
前記判定手段による判定の結果に基づいて前記シート媒体とコロナイオンを照射すべく照射基準位置との距離を制御することにより、前記判定手段による判定の結果に基づくシート媒体の種類に対応する前記所定の電界を生成することを特徴とする請求項１〜３の何れか一項に記載の処理装置。
【請求項５】
前記電界生成手段は、
前記判定手段による判定の結果に基づいて前記シート媒体に対する電界印加時間を制御することにより、前記判定手段による判定の結果に基づくシート媒体の種類に対応する前記所定の電界を生成することを特徴とする請求項１または２記載の処理装置。
【請求項６】
前記電界生成手段は、
前記判定手段による判定の結果に基づいて前記シート媒体に対する目視できる情報の書き込み速度を制御することにより、前記判定手段による判定の結果に基づくシート媒体の種類に対応する前記所定の電界を生成することを特徴とする請求項１記載の処理装置。
【請求項７】
前記電界生成手段は、
前記判定手段による判定の結果に基づいて前記シート媒体に対する目視できる情報の消去速度を制御することにより、前記判定手段による判定の結果に基づくシート媒体の種類に対応する前記所定の電界を生成することを特徴とする請求項２記載の処理装置。
【請求項８】
前記シート媒体の光学特性を検出する検出手段を備え、
前記判定手段は、
前記検出手段による検出の結果に基づいて前記シート媒体の種類を判定することを特徴とする請求項１〜７の何れか一項に記載の処理装置。
【請求項９】
電界の作用により光学的特性が可逆的に変化するシート媒体と、
請求項１〜８の何れか一項に記載の処理装置と、
を備えたことを特徴とする処理システム。
【請求項１０】
電界の作用により光学的特性が可逆的に変化するシート媒体と、請求項１〜７の何れか一項に記載の処理装置とを備えた処理システムであって、
前記シート媒体は、
自己のシート媒体の固有情報を記憶するとともに、外部との間で前記固有情報の無線通信を行う第１の通信手段を備え、
前記処理装置は、
前記第１の通信手段との間で前記固有情報の無線通信を行う第２の通信手段を備え、
前記判定手段は、
前記第２の通信手段による無線通信により取得された固有情報に基づいて、前記シート媒体の種類を判定する
ことを特徴とする処理システム。
【発明の詳細な説明】
【技術分野】
【０００１】
本発明は、電界の作用により光学的特性が可逆的に変化するシート媒体に対する目視できる情報の書き込みまたは消去を行うための電界を生成する処理装置および処理システムに関するものである。
【背景技術】
【０００２】
従来、この種の装置としては、例えば、（特許文献１）に記載されている装置が知られている。図１５は（特許文献１）に記載されている従来の装置の構成を示す図である。
【０００３】
図１５において、消去ドラム２の外周には複数の画素電極を備えた回路基板３が配設されているとともに、消去ドラム４の外周には複数の画素電極を備えた共通電極５が配設されている。また、書き込みドラム６の外周には複数の画素電極を備えた回路基板７が配設されているとともに、書き込みドラム８の外周には複数の画素電極を備えた共通電極９が配設されている。
【０００４】
このような装置では、電界の作用によって光学的特性が可逆的に変化するシート媒体１が図中矢印Ａの方向に搬送されると、消去ドラム４上の共通電極５を０ボルトに設定し、消去ドラム２上の回路基板３の各画素電極に負の電圧を与えることで、共通電極から画素電極に向かって電界が形成される。このようにして電界が形成されることによりシート媒体１に書き込まれている情報を消去する。
【０００５】
次に、書き込みドラム８上の共通電極９を０ボルトに設定し、書き込みドラム６上の回路基板７の各画素電極に情報に応じた正の電圧を与えることで、正の電圧が与えられた画素電極から共通電極に向かって電界が形成される。このようにして電界が形成されることによりシート媒体１に所定の情報が表示される。
【特許文献１】特開２０００−１２７４７８号公報
【発明の開示】
【発明が解決しようとする課題】
【０００６】
しかしながら、上記（特許文献１）に記載された装置では、特定のシート媒体に対する書き込みや消去が可能な構造となっているため、特定のシート媒体とは異なるシート媒体に関しては、書き込みや消去の品質が低下し、場合によっては書き込みや消去はできなかった。
【０００７】
すなわち、上記（特許文献１）に記載された装置では、シート媒体を製造するメーカの相違によるシート媒体の相違よって書き込みや消去に必要な電界強度が異なるため、書き込みや消去の品質が低下していた。
【０００８】
また、同一のメーカに関するシート媒体であっても、表示方式の異なるシート媒体については、書き込みや消去ができなかった。例えば、第１のシート媒体について書き込みや消去が可能な装置であっても、この第１のシート媒体の表示方式とは異なる表示方式の第２のシート媒体については、書き込みや消去はできなかった。
【０００９】
さらに、同一の表示方式のシート媒体あるいは同一のメーカに関するシート媒体であっても、シート媒体のバージョンの相違によって書き込みや消去に必要な電界強度が異なるため、書き込みや消去の品質が低下していた。
【００１０】
上述したように、上記（特許文献１）に記載された装置では、特定のシート媒体のみに対応したものであり、汎用性に欠けるという問題点があった。
【００１１】
そこで、本発明は、種類の異なるシート媒体であっても最適な書き込み品質を確保することのできる処理装置および処理システムを提供することを目的とする。
【００１２】
また、本発明は、種類の異なるシート媒体であっても最適な消去品質を確保することのできる処理装置および処理システムを提供することを目的とする。
【課題を解決するための手段】
【００１３】
この課題を解決するために、本発明の処理装置は、電界の作用により光学的特性が可逆的に変化するシート媒体に目視できる情報の書き込みを行うための所定の電界を生成する電界生成手段を有する処理装置であって、前記シート媒体の種類を判定する判定手段を備え、前記電界生成手段は、前記判定手段によって判定されたシート媒体の種類に対応する前記所定の電界を生成する構成としたものである。
【００１４】
この課題を解決するために、本発明の処理装置は、電界の作用により光学的特性が可逆的に変化するシート媒体に書き込まれている目視できる情報の消去を行うための所定の電界を生成する電界生成手段を有する処理装置であって、前記シート媒体の種類を判定する判定手段を備え、前記電界生成手段は、前記判定手段によって判定されたシート媒体の種類に対応する前記所定の電界を生成する構成としたものである。
【００１５】
本発明の好ましい形態において、前記電界生成手段は、コロナイオンを照射制御することにより静電像による電界を生成する。
【００１６】
本発明のさらに好ましい形態において、前記電界生成手段は、前記判定手段による判定の結果に基づいて前記シート媒体とコロナイオンを照射すべく照射基準位置との距離を制御することにより、前記判定手段による判定の結果に基づくシート媒体の種類に対応する前記所定の電界を生成する。
【００１７】
本発明のさらに好ましい形態において、前記電界生成手段は、前記判定手段による判定の結果に基づいて前記シート媒体に対する電界印加時間を制御することにより、前記判定手段による判定の結果に基づくシート媒体の種類に対応する前記所定の電界を生成する。
【００１８】
本発明のさらに好ましい形態において、前記電界生成手段は、前記判定手段による判定の結果に基づいて前記シート媒体に対する目視できる情報の書き込み速度を制御することにより、前記判定手段による判定の結果に基づくシート媒体の種類に対応する前記所定の電界を生成する。
【００１９】
本発明のさらに好ましい形態において、前記電界生成手段は、前記判定手段による判定の結果に基づいて前記シート媒体に対する目視できる情報の消去速度を制御することにより、前記判定手段による判定の結果に基づくシート媒体の種類に対応する前記所定の電界を生成する。
【００２０】
本発明のさらに好ましい形態において、前記シート媒体の光学特性を検出する検出手段を備え、前記判定手段は、前記検出手段による検出の結果に基づいて前記シート媒体の種類を判定する。
【００２１】
この課題を解決するために、本発明の処理システムは、電界の作用により光学的特性が可逆的に変化するシート媒体と、請求項１〜８の何れか一項に記載の処理装置とを備えた
構成としたものである。
【００２２】
この課題を解決するために、本発明の処理システムは、電界の作用により光学的特性が可逆的に変化するシート媒体と、請求項１〜７の何れか一項に記載の処理装置とを備えた処理システムであって、前記シート媒体は、自己のシート媒体の固有情報を記憶するとともに、外部との間で前記固有情報の無線通信を行う第１の通信手段を備え、前記処理装置は、前記第１の通信手段との間で前記固有情報の無線通信を行う第２の通信手段を備え、前記判定手段は、前記第２の通信手段による無線通信により取得された固有情報に基づいて前記シート媒体の種類を判定する構成としたものである。
【発明の効果】
【００２３】
本発明によれば、電界生成手段が、判定手段による判定の結果に基づいてシート媒体の種類に対応する所定の電界を生成するようにしたので、種類の異なるシート媒体であっても最適な書き込み品質または消去品質を確保することができるという有効な効果が得られる。
【００２４】
また、本発明によれば、電界生成手段が、検出手段による検出の結果に基づいてシート媒体の種類を判定した判定手段による判定の結果に基づいて、シート媒体の種類に対応する所定の電界を生成するようにしたので、種類の異なるシート媒体であっても最適な書き込み品質または消去品質を確保することができるという有効な効果が得られる。
【００２５】
さらに、本発明によれば、書き込み装置では、第２の通信手段が、シート媒体の第１の通信手段との通信によりシート媒体の固有情報を取得し、電界生成手段が、第２の通信手段による無線通信により取得された固有情報に基づいてシート媒体の種類を判定した判定手段による判定の結果に基づいて、シート媒体の種類に対応する所定の電界を生成するようにしたので、種類の異なるシート媒体であっても最適な書き込み品質または消去品質を確保することができるという有効な効果が得られる。
【発明を実施するための最良の形態】
【００２６】
本発明の請求項１に記載の発明は、電界の作用により光学的特性が可逆的に変化するシート媒体に目視できる情報の書き込みを行うための所定の電界を生成する電界生成手段を有する処理装置であって、シート媒体の種類を判定する判定手段を備え、電界生成手段は、判定手段によって判定されたシート媒体の種類に対応する所定の電界を生成する処理装置であり、電界生成手段が、判定手段による判定の結果に基づいてシート媒体の種類に対応する所定の電界を生成するようにしたので、種類の異なるシート媒体であっても最適な書き込み品質を確保することができるという作用を有する。
【００２７】
本発明の請求項２に記載の発明は、電界の作用により光学的特性が可逆的に変化するシート媒体に書き込まれている目視できる情報の消去を行うための所定の電界を生成する電界生成手段を有する処理装置であって、シート媒体の種類を判定する判定手段を備え、電界生成手段は、判定手段によって判定されたシート媒体の種類に対応する所定の電界を生成する処理装置であり、電界生成手段が、判定手段による判定の結果に基づいてシート媒体の種類に対応する所定の電界を生成するようにしたので、種類の異なるシート媒体であっても最適な消去品質を確保することができるという作用を有する。
【００２８】
本発明の請求項３に記載の発明は、請求項１または２記載の発明において、電界生成手段は、コロナイオンを照射制御することにより静電像による電界を生成する処理装置であり、種類の異なるシート媒体であっても最適な書き込み品質または消去品質を確保することができるという作用を有する。
【００２９】
本発明の請求項４に記載の発明は、請求項１〜７の何れか一項に記載の発明において、電界生成手段は、判定手段による判定の結果に基づいてシート媒体とコロナイオンを照射すべく照射基準位置との距離を制御することにより、判定手段による判定の結果に基づくシート媒体の種類に対応する所定の電界を生成する処理装置であり、種類の異なるシート媒体であっても最適な書き込み品質または消去品質を確保することができるという作用を有する。
【００３０】
本発明の請求項５に記載の発明は、請求項１または２記載の発明において、電界生成手段は、判定手段による判定の結果に基づいてシート媒体に対する電界印加時間を制御することにより、判定手段による判定の結果に基づくシート媒体の種類に対応する所定の電界を生成する処理装置であり、種類の異なるシート媒体であっても最適な書き込み品質または消去品質を確保することができるという作用を有する。
【００３１】
本発明の請求項６に記載の発明は、請求項１記載の発明において、電界生成手段は、判定手段による判定の結果に基づいてシート媒体に対する目視できる情報の書き込み速度を制御することにより、判定手段による判定の結果に基づくシート媒体の種類に対応する所定の電界を生成する処理装置であり、種類の異なるシート媒体であっても最適な書き込み品質を確保することができるという作用を有する。
【００３２】
本発明の請求項７に記載の発明は、請求項２記載の発明において、電界生成手段は、判定手段による判定の結果に基づいてシート媒体に対する目視できる情報の消去速度を制御することにより、判定手段による判定の結果に基づくシート媒体の種類に対応する所定の電界を生成する処理装置であり、種類の異なるシート媒体であっても最適な消去品質を確保することができるという作用を有する。
【００３３】
本発明の請求項８に記載の発明は、請求項１〜７の何れか一項に記載の発明において、シート媒体の光学特性を検出する検出手段を備え、判定手段は、検出手段による検出の結果に基づいてシート媒体の種類を判定する処理装置であり、電界生成手段が、検出手段による検出の結果に基づいてシート媒体の種類を判定した判定手段による判定の結果に基づいて、シート媒体の種類に対応する所定の電界を生成するようにしたので、種類の異なるシート媒体であっても最適な書き込み品質または消去品質を確保することができるという作用を有する。
【００３４】
本発明の請求項９に記載の発明は、電界の作用により光学的特性が可逆的に変化するシート媒体と、請求項１〜８の何れか一項に記載の処理装置とを備えた構成としたものである処理システムであり、種類の異なるシート媒体であっても最適な書き込み品質または消去品質を確保することができるという作用を有する。
【００３５】
本発明の請求項１０に記載の発明は、電界の作用により光学的特性が可逆的に変化するシート媒体と、請求項１〜７の何れか一項に記載の処理装置とを備えた処理システムであって、シート媒体は、自己のシート媒体の固有情報を記憶するとともに、外部との間で固有情報の無線通信を行う第１の通信手段を備え、処理装置は、第１の通信手段との間で固有情報の無線通信を行う第２の通信手段を備え、判定手段は、第２の通信手段による無線通信により取得された固有情報に基づいてシート媒体の種類を判定する処理システムであり、書き込み装置では、第２の通信手段が、シート媒体の第１の通信手段との通信によりシート媒体の固有情報を取得し、電界生成手段が、第２の通信手段による無線通信により取得された固有情報に基づいてシート媒体の種類を判定した判定手段による判定の結果に基づいて、シート媒体の種類に対応する所定の電界を生成するようにしたので、種類の異なるシート媒体であっても最適な書き込み品質または消去品質を確保することができるという作用を有する。
【００３６】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３７】
（実施の形態１）
図１は本発明の実施の形態１における書き込み装置の構成を示す斜視図、図２は図１に示した書き込み装置のライン型ヘッドを示す図、図３は図１に示した書き込み装置の制御系を示す図、図４は実施の形態１における各種のシート媒体に対する１ライン当たりの時間に対するイオン照射時間を説明する図、図５は図４に示したイオン照射時間分だけ、各シート媒体にイオンを照射したときの当該各シート媒体に形成される静電像の様子を示す図、図６は実施の形態１における書き込み装置の応用例を示す図である。
【００３８】
図１において、書き込み装置（処理装置）１０は、電界の作用により光学的特性が可逆的に変化するシート媒体１００に目視できる情報の書き込みおよび消去を行うものであり、コロナイオン流をシート媒体１００の表面に選択的に照射するライン型ヘッド２０と、基準電極３０と、シート媒体１００の種別を判定する判定手段４０とを備えている。
【００３９】
シート媒体１００は、書き込みあるいは消去のときは、書き込み装置１０に挿入されて、ライン型ヘッド２０と基準電極３０との間を通過（搬送）されるようになっている。
【００４０】
ライン型ヘッド（電界生成手段）２０は、シート媒体１００に目視できる情報の書き込みを行うための所定の電界を生成するとともに、シート媒体１００に書き込まれている目視できる情報の消去を行うための所定の電界を生成する。この所定の電界は、シート媒体１００の種類によって異なる値となり、判定手段４０による判定の結果に基づいた値となる。
【００４１】
ライン型ヘッド２０は、図２（ａ）に示すように、コロナイオンを発生するイオン源２１と、コロナワイヤ２２と、イオン源２１から発生したコロナイオンを制御する制御電極２３，２４と、制御電源２５と、バイアス電源２６と、を備えている。
【００４２】
イオン源２１は、コロナワイヤ２２に高電圧を印加することによりコロナイオンを発生させる。
【００４３】
制御電極２３と制御電極２４とは所定間隔を経て配設され、これらの制御電極の中央に設けられた孔２７をコロナイオン５０が透過（通過）できるように構成されている。また、制御電極２３と制御電極２４とが所定間隔を経た状態で、上下（垂直）方向へ移動可能に配設されている。このような制御電極２３，２４が例えば所定間隔で複数配設されることによってライン型ヘッド２０を構成する。
【００４４】
制御電源２５は、スイッチ２５ａを接点２５ｂに切り替えることで、制御電極２３に直流電源のマイナス（−）が、一方、制御電極２４に直流電源のプラス（＋）が設定されるようにするとともに、スイッチ２５ａを接点２５ｃに切り替えることで、制御電極２３に直流電源のプラス（＋）が、一方、制御電極２４に直流電源のマイナス（−）が設定されるようにする。
【００４５】
バイアス電源２６は、制御電極２４にマイナス（−）のバイアス電圧を印加するものである。基準電極３０は接地されており、０Ｖの電位に設定されている。
【００４６】
次に、書き込み装置１０の制御系について図３を参照して説明する。
【００４７】
図３において、制御電源２５は上述したようにスイッチ２５ａを接点２５ｂまたは接点２５ｃに切り替え制御するように構成されている。
【００４８】
移動手段６０は、制御電極２３と制御電極２４とが所定間隔を経た状態で、上下（垂直）方向へ移動制御する。
【００４９】
搬送手段７０は、書き込み装置１０に挿入されたシート媒体１００を図１中の矢印Ａの方向に搬送するものであり、シート媒体１００に対する搬送速度を可変できるように構成されている。
【００５０】
制御手段８０は、シート媒体１００の種類情報毎に制御情報を例えばテーブル形式で記憶している記憶部８１を備えており、制御電源２５、移動手段６０および搬送手段７０を制御する。
【００５１】
ところで、この実施の形態１においては、書き込み装置１０が使用可能なシート媒体１００の種類は、表示方式の相違、メーカの相違、およびバージョンの相違に応じた種類数がある。例えば、第１のメーカに関する第１の表示方式のシート媒体１００、第１のメーカに関する第１の表示方式のシート媒体１００の改良版、第１のメーカに関する第２の表示方式のシート媒体１００、第２のメーカに関する第１の表示方式のシート媒体１００、および第２のメーカに関する第２の表示方式のシート媒体１００が存在する場合は、シート媒体１００の種類は５種類ということになる。
【００５２】
この場合、記憶部８１に記憶されるシート媒体１００の種類情報としては、第１のメーカに関する第１の表示方式を示す情報、第１のメーカに関する第１の表示方式の改良版を示す情報、第１のメーカに関する第２の表示方式を示す情報、第２のメーカに関する第１の表示方式を示す情報、および第２のメーカに関する第２の表示方式を示す情報である。
【００５３】
一方、記憶部８１に記憶される制御情報としては、後述するイオン照射時間情報、書き込み速度情報および消去速度情報、およびシート媒体１００と制御電極との間の距離情報のうち、何れか一つの情報が設定される。勿論、これら全ての情報を設定することも可能であり、この場合は、予め指定されるモードに応じた情報のみが適用されることになる。
【００５４】
また、記憶部８１の記憶内容は、新たな種類のシート媒体１００が提供された場合には、そのシート媒体１００の種類に関する情報に基づいて更新される。つまり、そのシート媒体１００の種類情報と制御情報とが対応付けされて記憶部８１に登録される。このような情報の登録は、例えば、書き込み装置１０と接続される書き込み情報源である端末装置（図示せず）を操作することで実現することができる。
【００５５】
上述したような書き込み装置１０の制御系によれば、判定手段４０はシート媒体１００の種類を判定し、この判定の結果を制御手段８０に通知する。制御手段８０は、判定手段４０からの判定結果と、記憶部８１の記憶内容とに基づいて、制御電源２５、移動手段６０、および搬送手段７０のうち何れかを制御する。
【００５６】
次に、書き込み装置１０の基本的な書き込み動作について図２を参照して説明する。
【００５７】
制御電源２５が、図２（ａ）に示すように、スイッチ２５ａを接点２５ｂに切り替えて、制御電極２３がマイナス（−）、制御電極２４がプラス（＋）になるように設定すると、制御電極２３と制御電極２３との間の電界方向が、制御電極２４から制御電極２３の方
向になるので、コロナイオン（この場合はマイナスのコロナイオン）５０が孔２７を透過（通過）する。
【００５８】
そして、バイアス電源２６によってマイナス（−）のバイアス電圧が制御電極２４に印加されているので、孔２７を透過するコロナイオン５０は加速されて、シート媒体１００の表面に到達する。
【００５９】
これに対し、制御電源２５が、図２（ｂ）に示すように、スイッチ２５ａを接点２５ｃに切り替えて、制御電極２３がプラス（＋）、制御電極２４がマイナス（−）になるように設定すると、制御電極２３と制御電極２３との間の電界方向が、制御電極２３から制御電極２４の方向になるので、コロナイオン（この場合はマイナスのコロナイオン）５０は孔２７を透過（通過）することができない。
【００６０】
上述したような原理に基づき、シート媒体１００には、情報に応じたコロナイオンによる静電像が形成されるため、この静電像と基準電極３０とに図２（ａ）中矢印Ｂに示す方向の電界が作用することになり、これにより、シート媒体１００に所望の情報を書き込むことができる。このような動作を、搬送手段７０によってシート媒体１００を図１中の矢印Ａの方向に搬送することにより、１シート媒体について、所望の情報の書き込みを行うことができる。
【００６１】
このようにしてシート媒体１００に書き込んだ情報を消去する場合は、コロナワイヤ２２に書き込み動作の場合とは逆の極性の電位を与えるとともに、制御電源２５がスイッチ２５ａを所定の接点に切り替えることによって、コロナワイヤ２２から発生するコロナイオン（この場合はプラスのコロナイオン）が、制御電極２３および制御電極２４の中央に設けられた孔２７を通過可能な状態にする。
【００６２】
これにより、書き込み時とは逆の極性のコロナイオン（この場合はプラスのコロナイオン）がシート媒体１００の表面に付着するので、情報は消去される。このような動作を、搬送手段７０によってシート媒体１００を図１中の矢印Ａの方向に搬送することにより、１シート媒体について、所望の情報の消去を行うことができる。
【００６３】
次に、書き込み装置による種類の異なるシート媒体１００に対しての情報の書き込みおよび消去の動作について、図４および図５を参照して説明する。
【００６４】
図４は、各シート媒体１００に対する１ライン当たりの時間に対するイオン照射時間（制御電極間を通過させる時間に相当）を示している。ここで、１ライン当たりの時間とは、シート媒体１００の書き込み速度および書き込み解像度で決定される時間であり、イオン照射時間とはイオンを通過させる時間に相当する。
【００６５】
なお、図４において、（ａ）はＡ社製のマイクロカプセルを用いた電気泳動シート（以下、「電気泳動シート」という。）に対するイオン照射時間を示し、（ｂ）はＡ社製の電気泳動シートの改良版（以下、「電気泳動シート（改良版）」という。）に対するイオン照射時間を示し、（ｃ）はＢ社製のツイストボール型シート（以下、「ツイストボール型シート」という。）に対するイオン照射時間を示している。
【００６６】
図５は、図４に示したイオン照射時間分だけ、各シート媒体１００にイオンを照射したときの当該各シート媒体１００に形成される静電像の様子を示している。
【００６７】
なお、図５において、（ａ）は電気泳動シートに形成された静電像を示し、（ｂ）は電気泳動シート（改良版）に形成された静電像を示し、（ｃ）はツイストボール型シートに
形成された静電像を示している。
【００６８】
ここで、この実施の形態１では、シート媒体１００として、電気泳動シート（Ａ社製）、電気泳動シートの改良版（Ａ社製）、およびツイストボール型シート（Ｂ社製）があるものとする。
【００６９】
また、記憶部８１には、シート媒体１００の種類情報とイオン照射時間情報とが対付けされて記憶されているものとする。すなわち、記憶部８１には、Ａ社製の電気泳動方式を示す情報とイオン照射時間情報Ｔａとが対応付けされ、また、Ａ社製の電気泳動方式の改良版を示す情報とイオン照射時間情報Ｔｂとが対応付けされ、さらに、Ｂ社製のツイストボール型方式を示す情報とイオン照射時間情報Ｔｃとが対応付けされて、記憶されているものとする。
【００７０】
次に、シート媒体１００としての電気泳動シートに対して書き込みを行う場合の書き込み装置１０の動作について説明する。
【００７１】
書き込み装置１０では、判定手段４０が、挿入されたシート媒体（電気泳動シート）１００に対する書き込み指示に基づいて、挿入されたシート媒体１００の種類を判定し、この判定した結果を制御手段８０に通知する。
【００７２】
なお、シート媒体１００の種類の判定に関しては、書き込み情報の情報源である端末（図示せず）からの設定でも良いし、また、書き込み装置１０に備えられた操作パネル（図示せず）を操作することによるメニュー（図示せず）からの設定であっても良いし、さらに、各種センサを用いての自動判定であっても良い。
【００７３】
制御手段８０は、判定手段４０からの判定結果と、記憶部８１の記憶内容とに基づいて、制御電源２５を制御する。
【００７４】
すなわち、判定手段４０からの通知内容は、シート媒体１００の種類は「Ａ社製の電気泳動方式を示す情報」という旨の判定結果であるので、制御手段８０は、このシート媒体１００の種類情報としての「Ａ社製の電気泳動方式を示す情報」に対応する制御情報を記憶部８１から検索して取得する。この例では、シート媒体１００の種類情報としての「Ａ社製の電気泳動方式を示す情報」に対応するイオン照射時間情報Ｔａが取得されることになる。
【００７５】
制御手段８０は、記憶部８１から取得した制御情報としての「イオン照射時間情報Ｔａ」に基づいて、制御電源２５に対して、１ライン当たりの時間のうち、イオン照射時間が「Ｔａ」になるように指示する。
【００７６】
すると、制御電源２５は、スイッチ２５ａを接点２５ｂに切り替えるとともに（図２（ａ）参照）、この切り替えた時点からイオン照射時間Ｔａが経過した時点で、スイッチ２５ａを接点２５ｃに切り替えることにより（図２（ｂ）参照）、１ライン当たりの時間のうち、イオン照射時間Ｔａだけ、コロナイオンの透過状態（（図４（ａ）参照））になるように設定する。
【００７７】
その結果、図５（ａ）に示すように、シート媒体１００としての電気泳動シートの表面に静電像１１０が形成され、基準電極３０の電位とシート媒体１００の表面電位との間に、ΔＶ１の電位差が生じる。このため、シート媒体１００における静電像１１０に対応する位置（部位）に所望の情報が書き込まれる。
【００７８】
また、上記電気泳動シート（改良版）およびツイストボール型シートに対して書き込みを行う場合は、上記電気泳動シートの場合と同様に、制御手段８０が、判定手段４０からの判定結果よび記憶部８１の記憶内容に基づいて、制御電源２５を制御する。
【００７９】
すなわち、電気泳動シート（改良版）に関しては、制御電源２５は、制御手段８０の制御に従って、シート媒体１００の種類情報としての「Ａ社製の電気泳動方式の改良版を示す情報」に対応するイオン照射時間情報Ｔｂに基づいて、１ライン当たりの時間のうち、イオン照射時間Ｔｂだけ、コロナイオンの透過状態（（図４（ｂ）参照））になるように設定する。
【００８０】
その結果、図５（ｂ）に示すように、シート媒体１００としての電気泳動シート（改良版）の表面に静電像１２０が形成され、基準電極３０の電位とシート媒体１００の表面電位との間にΔＶ２の電位差が生じるので、シート媒体１００における静電像１２０に対応する位置（部位）に所望の情報が書き込まれる。
【００８１】
一方、ツイストボール型シートに関しては、制御電源２５は、制御手段８０の制御に従って、シート媒体１００の種類情報としての「Ｂ社製のツイストボール型方式を示す情報」に対応するイオン照射時間情報Ｔｃに基づいて、１ライン当たりの時間のうち、イオン照射時間時間Ｔｃだけ、コロナイオンの透過状態（（図４（ｃ）参照））になるように設定する。
【００８２】
その結果、図５（ｃ）に示すように、シート媒体１００としてのツイストボール型シートの表面に静電像１３０が形成され、基準電極３０の電位とシート媒体１００の表面電位との間にΔＶ３の電位差が生じるので、シート媒体１００における静電像１３０に対応する位置（部位）に所望の情報が書き込まれる。
【００８３】
それぞれのシート媒体１００に書き込まれた情報を消去する場合は、コロナワイヤ２２に書き込み動作の場合とは逆の極性の電位を加えるとともに、判定手段４０による判定の結果に基づいて制御手段８０によって制御される制御電源２５が、コロナイオン（この例ではプラスのコロナイオン）を各シート媒体１００の種類に応じたイオン照射時間だけ透過（通過）可能な状態に設定する。
【００８４】
これによって、書き込み時の場合とは逆の極性（この例ではプラス）のコロナイオンがシート媒体１００の表面に付着するので、シート媒体１００に書き込まれた情報は消去される。勿論、このような情報の消去の動作において、搬送手段７０によってシート媒体１００を図１中の矢印Ａの方向に搬送することで、１シート媒体分について全ての情報を消去することが可能となる。
【００８５】
なお、本実施の形態１において、書き込み装置１０のライン型ヘッド２０は、シート媒体１００とは非接触の状態で書き込みおよび消去を行う非接触方式のものを示したが、本発明はこれに限定されることなく、図６に示すような接触方式による書き込みおよび消去を行うようにしても良い。
【００８６】
図６に示す書き込み装置１０は、図１５に示した従来の装置の構成において、判定手段４０を追加した構成になっている。図６において、書き込みドラム６，７および消去ドラム２，４にシート媒体１００が接触して、図６中の矢印Ａの方向に搬送されるようになっている。
【００８７】
このような書き込み装置１０では、ライン型ヘッド２０は、判定手段４０による判定の結果に基づいて、書き込みドラム６上の回路基板７の各画素電極または消去ドラム２上の
回路基板３の各画素電極への電圧を印加する印加時間を制御する。これにより所望の情報の書き込みまたは消去が行われる。ただし、シート媒体１００の寿命の観点からは、接触方式よりも非接触方式が望ましい。
【００８８】
また、本実施の形態１において、非接触方式にて情報の書き込みを行うライン型ヘッド２０として、コロナイオンを一様に発生させ、制御電極２３，２４を用いてイオンを選択する方式のものを示したが、本発明はこれに限定されることなく、高電圧を印加した金属電極を加熱することでイオンを選択的に発生する方式としても良い。
【００８９】
さらに、本実施の形態１において、シート媒体１００に書き込んだ情報を消去する場合は、コロナワイヤ２２に書き込み動作の場合とは逆の極性の電位を加え、コロナイオンを通過可能な状態にして走査する方式のものを示したが、本発明はこれに限定されることなく、書き込みのためのライン型ヘッドと消去のためのライン型ヘッドとをそれぞれ備え、これらのライン型ヘッドを用いて消去または書き込みを一連の動作で行う方式としても良い。この場合、消去のためのライン型ヘッドは、単なる電極あるいはコロナイオンを発生する装置の何れの方式でも良い。
【００９０】
さらに、本実施の形態１では、シート媒体１００としては、マイクロカプセルを用いた電気泳動シート、ゼロックス社よりジャイリコンという名称をつけて報告されているツイストボール方式のシート、およびメモリ性を有する液晶、など各種電界駆動方式のメモリ性を有するシート媒体１００を使用することができる。
【００９１】
ところで、紙への印刷を削減することで環境負荷を低減するソリューションは人類にとって今後必須である。そのため、実施の形態１の書き込み装置によって、電界の作用により光学的特性が可逆的に変化するシート媒体１００に情報を書き込みまたは消去することにより、シート媒体１００を再利用することができるので、環境負荷を低減するという観点からは、実施の形態１の書き込み装置は、環境負荷を低減することができる極めて有用な装置であると言える。
【００９２】
以上説明したように、実施の形態１によれば、シート媒体１００の種類を判定する判定手段４０を備えるようにしたので、種類の異なるシート媒体１００を用いた場合であっても、最適な書き込み品質を確保することができる。そのため、利用者は本発明に係る書き込み装置を所有することで、安価かつ高品質のシート媒体１００が次々と改良された場合であっても、そのシート媒体１００に適した書き込み動作が対応可能となるので、利用者の利便性を大幅に向上させることができる。
【００９３】
例えば、種類の異なるシート媒体１００を用いても最適な書き込み品質を確保することができることから、シート媒体１００として、マイクロカプセルを用いた電気泳動シート、ゼロックス社よりジャイリコンという名称をつけて報告されているツイストボール方式のシート、およびメモリ性を有する液晶、など各種電界駆動方式のメモリ性を有するシート媒体１００を使用することができるので、利用者の利便性を大幅に向上させることができる。
【００９４】
また、実施の形態１によれば、ライン型ヘッド２０と各種のシート媒体１００とが非接触状態で書き込みおよび消去が行われるので、シート媒体１００へのダメージが無く、シート媒体１００を長寿命化できるという利点もある。
【００９５】
さらに、本実施の形態１によれば、電界の作用により光学的特性が可逆的に変化するシート媒体１００に情報を書き込みまたは消去することで、シート媒体１００を再利用することができるので、環境負荷を低減できる極めて有用な書き込み装置を提供することがで
きるという利点がある。
【００９６】
さらに、本実施の形態１によれば、各種のシート媒体１００に対応できる書き込み装置を提供することは、本書き込み装置（システム）がプラットフォームとなり、シート媒体１００の製造会社にとっても次々と独自の改良されたシート媒体１００の開発に取り組むことができることが可能となり、これによりシート媒体１００の低価格化が進み、書き込み装置の普及に加速がつくことになる。この結果、日本規模あるいは世界規模で、環境負荷を大幅に低減することが可能となる。
【００９７】
これに対し、上述した従来の装置の如く特定の種類のシート媒体１００のみに対応した装置では、その装置の普及に加速が掛からず、結果として、環境負荷の低減を期待することはできないものとなる。
【００９８】
（実施の形態２）
図７は本発明の実施の形態２における書き込み装置における画素照射時間を説明する図、図８は実施の形態２における各種のシート媒体に対する書き込みの書き込み速度を変えた場合の各種のシート媒体に形成される静電潜像の様子を示す図である。
【００９９】
この実施の形態２の書き込み装置は、上記実施の形態１の書き込み装置とは、基本的な構成および機能は同じであるものの（図１〜図３参照）、シート媒体１００に対する書き込みまたは消去する条件が相違している。次に、その相違している点について説明する。
【０１００】
この実施の形態２においても、シート媒体１００としては、実施の形態１の場合と同様に、電気泳動シート、電気泳動シート（改良版）、ツイストボール型シートの３種類を使用するものとする。
【０１０１】
また、記憶部８１には、シート媒体１００の種類情報と速度情報とが対付けされて記憶されているものとする。すなわち、記憶部８１には、Ａ社製の電気泳動方式を示す情報と速度情報ｖ１とが対応付けされ、また、Ａ社製の電気泳動方式の改良版を示す情報と速度情報ｖ２とが対応付けされ、さらに、Ｂ社製のツイストボール型方式を示す情報と速度情報ｖ３とが対応付けされて、記憶されているものとする。ここで、速度情報は、書き込み速度情報および消去速度情報である。
【０１０２】
次に、シート媒体１００としての電気泳動シートに対して書き込みを行う場合の書き込み装置１０の動作について説明する。
【０１０３】
書き込み装置１０では、判定手段４０は、挿入されたシート媒体（電気泳動シート）１００に対する書き込み指示に基づいて、挿入されたシート媒体１００の種類を判定し、この判定した結果を制御手段８０に通知する。
【０１０４】
制御手段８０は、判定手段４０からの判定結果と、記憶部８１の記憶内容とに基づいて、搬送手段７０を制御する（図３参照）。
【０１０５】
すなわち、判定手段４０からの通知内容は、シート媒体１００の種類は「Ａ社製の電気泳動方式を示す情報」という旨の判定結果であるので、制御手段８０は、このシート媒体１００の種類情報としての「Ａ社製の電気泳動方式を示す情報」に対応する制御情報を記憶部８１から検索して取得する。この例では、シート媒体１００の種類情報としての「Ａ社製の電気泳動方式を示す情報」に対応する速度情報ｖ１が取得されることになる。
【０１０６】
制御手段８０は、記憶部８１から取得した制御情報としての「速度情報ｖ１」に基づい
て、搬送手段７０に対して、シート媒体１００を、書き込み速度が「ｖ１」になるように指示する。
【０１０７】
すると、搬送手段７０が、制御手段８０の制御に従ってシート媒体１００を速度ｖ１で図１中の矢印Ａの方向に搬送すると同時に、ライン型ヘッド２０では、図７に示す画素照射時間Ｔｄだけ、発生したマイナスのコロナイオンが制御電極２３，２４の中に設けられた孔２７を透過（通過）する状態（透過状態）に設定する。つまり、制御電源２５が、画素照射時間Ｔｄだけ、スイッチ２５ａが接点２５ｂと接続されるように設定する。
【０１０８】
その結果、図８（ａ）に示すように、シート媒体１００としての電気泳動シートの表面に静電像１１０が形成され、基準電極３０の電位とシート媒体１００の表面電位との間に、ΔＶ１の電位差が生じる。このため、シート媒体１００における静電像１１０に対応する位置（部位）に所望の情報が書き込まれる。
【０１０９】
また、上記電気泳動シート（改良版）およびツイストボール型シートに対して書き込みを行う場合は、上記電気泳動シートの場合と同様に、制御手段８０が、判定手段４０からの判定結果よび記憶部８１の記憶内容に基づいて、搬送手段７０を制御する。
【０１１０】
すなわち、電気泳動シート（改良版）の場合、搬送手段７０は、制御手段８０の制御に従って、シート媒体１００の種類情報としての「Ａ社製の電気泳動方式の改良版を示す情報」に対応する速度情報ｖ２に基づく書き込み速度（搬送速度）で、電気泳動シート（改良版）を搬送する。
【０１１１】
一方法、ツイストボール型シートの場合、搬送手段７０は、制御手段８０の制御に従って、シート媒体１００の種類情報としての「Ｂ社製のツイストボール型方式を示す情報」に対応する速度情報ｖ３に基づく書き込み速度（搬送速度）で、ツイストボール型シートを搬送する。
【０１１２】
このようにして各シート媒体１００の種類に応じた書き込み速度で搬送されるシート媒体１００に関して、ライン型ヘッド２０では、図７に示す画素照射時間Ｔｄだけ、発生したマイナスのコロナイオンが制御電極２３，２４の中に設けられた孔２７を透過（通過）する状態（透過状態）に設定する。
【０１１３】
その結果、電気泳動シート（改良版）に関しては、図８（ｂ）に示すように、シート媒体１００としての電気泳動シート（改良版）の表面に静電像１２０が形成され、基準電極３０の電位とシート媒体１００の表面電位との間にΔＶ２の電位差が生じるので、シート媒体１００における静電像１２０に対応する位置（部位）に所望の情報が書き込まれる。
【０１１４】
一方、ツイストボール型シートに関しては、図８（ｃ）に示すように、シート媒体１００としてのツイストボール型シートの表面に静電像１３０が形成され、基準電極３０の電位とシート媒体１００の表面電位との間にΔＶ３の電位差が生じるので、シート媒体１００における静電像１３０に対応する位置（部位）に所望の情報が書き込まれる。
【０１１５】
上述したように画素照射時間はＴｄと一定であっても、それぞれのシート媒体１００に対する書き込み速度が異なるため、シート媒体１００における書き込みライン数は異なっている。
【０１１６】
すなわち、Ａ社製のマイクロカプセルを用いた電気泳動シートの場合は１ラインに相当した情報（図８（ａ）参照）が、Ａ社製の電気泳動シート改良版の場合では２ラインに相当した情報（図８（ｂ）参照）が、Ｂ社製ツイストボール型シートの場合では４ラインに
相当した情報（図８（ｃ）参照）が、それぞれ書き込まれている。
【０１１７】
次に、それぞれのシート媒体１００に書き込まれた情報を消去する場合は、コロナワイヤ２２に書き込み動作の場合とは逆の極性の電位を加えるとともに、判定手段４０による判定の結果に基づいて制御手段８０によって制御される搬送手段７０が、シート媒体１００を指定された消去速度（ｖ１、ｖ２、ｖ３の何れか）で搬送する。
【０１１８】
また、ライン型ヘッド２０では、制御電源２５が、コロナイオン（この例ではプラスのコロナイオン）を画素照射時間Ｔｄだけ透過（通過）可能な状態に設定する。その結果、１シート分について全ての情報を消去することが可能となる。
【０１１９】
以上説明したように、実施の形態２によれば、上述した実施の形態１の場合と同様の作用効果を期待することができる。
【０１２０】
また、実施の形態２によれば、小さな電界強度で反応するようにシート媒体１００が改良された場合には、改良前のシート媒体１００を使用した場合と比較して、書き込み速度を上げることができるので、利用者にとっては、シート媒体１枚あたりの書き込み時間が短縮されることとなり、より一層利便性が向上する。
【０１２１】
（実施の形態３）
図９は本発明の実施の形態３における書き込み装置内の制御電極とシート媒体１００との距離を変えた場合の各種シート媒体に形成される静電像の様子を示す図である。
【０１２２】
この実施の形態３の書き込み装置は、上記実施の形態１の書き込み装置とは、基本的な構成および機能は同じであるものの（図１〜図３参照）、シート媒体１００に対する書き込みまたは消去する条件が相違している。次に、その相違している点について説明する。
【０１２３】
この実施の形態３においても、シート媒体１００としては、実施の形態１の場合と同様に、電気泳動シート、電気泳動シート（改良版）、ツイストボール型シートの３種類を使用するものとする。
【０１２４】
また、記憶部８１には、シート媒体１００の種類情報と距離情報とが対付けされて記憶されているものとする。すなわち、記憶部８１には、Ａ社製の電気泳動方式を示す情報と距離情報Ｌ１とが対応付けされ、また、Ａ社製の電気泳動方式の改良版を示す情報と距離情報Ｌ２とが対応付けされ、さらに、Ｂ社製のツイストボール型方式を示す情報と距離情報Ｌ３とが対応付けされて、記憶されているものとする。
【０１２５】
ここで、距離情報は、基準電極３０と制御電極２４との互いに対向する２つの面の間の距離を示す情報である。
【０１２６】
次に、シート媒体１００としての電気泳動シートに対して書き込みを行う場合の書き込み装置１０の動作について説明する。
【０１２７】
書き込み装置１０では、判定手段４０が、挿入されたシート媒体（電気泳動シート）１００に対する書き込み指示に基づいて、挿入されたシート媒体１００の種類を判定し、この判定した結果を制御手段８０に通知する。
【０１２８】
制御手段８０は、判定手段４０からの判定結果と、記憶部８１の記憶内容とに基づいて、移動手段６０を制御する（図３参照）。
【０１２９】
すなわち、判定手段４０からの通知内容は、シート媒体１００の種類は「Ａ社製の電気泳動方式を示す情報」という旨の判定結果であるので、制御手段８０は、このシート媒体１００の種類情報としての「Ａ社製の電気泳動方式を示す情報」に対応する制御情報を記憶部８１から検索して取得する。この例では、シート媒体１００の種類情報としての「Ａ社製の電気泳動方式を示す情報」に対応する距離情報Ｌ１が取得されることになる。
【０１３０】
制御手段８０は、記憶部８１から取得した制御情報としての「距離情報Ｌ１」に基づいて、移動手段６０に対して、基準電極３０と制御電極２４との互いに対向する２つの面の間の距離が「Ｌ１」となるように指示する。
【０１３１】
すると、移動手段６０が、図９（ａ）に示すように、制御手段８０の制御に従って、基準電極３０と制御電極２４との互いに対向する２つの面の間の距離が「Ｌ１」になるように、制御電極２３および制御電極２４を上下（垂直）方向に移動する。
【０１３２】
これと同時に、ライン型ヘッド２０では、上述した実施の形態２の場合と同様に、画素照射時間Ｔｄだけ、発生したマイナスのコロナイオンが制御電極２３，２４の中に設けられた孔２７を透過（通過）する状態（透過状態）に設定する。
【０１３３】
その結果、上記実施の形態１または実施の形態２の場合と同様に、シート媒体１００としての電気泳動シートの表面に静電像が形成され、基準電極３０の電位とシート媒体１００の表面電位との間に、所定の電位差が生じる。このため、シート媒体１００における静電像に対応する位置（部位）に所望の情報が書き込まれる。
【０１３４】
また、上記電気泳動シート（改良版）およびツイストボール型シートに対して書き込みを行う場合は、上記電気泳動シートの場合と同様に、制御手段８０が、判定手段４０からの判定結果および記憶部８１の記憶内容に基づいて、移動手段６０を制御する。
【０１３５】
すなわち、電気泳動シート（改良版）の場合、移動手段６０は、制御手段８０の制御に従って、シート媒体１００の種類情報としての「Ａ社製の電気泳動方式の改良版を示す情報」に対応する距離情報Ｌ２に基づいて、基準電極３０の表面と制御電極２４における基準電極３０側の表面との距離が「Ｌ２」になるように（図９（ｂ）参照）、制御電極２３および制御電極２４を上下（垂直）方向に移動する。
【０１３６】
一方、ツイストボール型シートの場合、移動手段６０は、制御手段８０の制御に従って、シート媒体１００の種類情報としての「Ｂ社製のツイストボール型方式を示す情報」に対応する距離情報Ｌ３に基づいて、基準電極３０の表面と制御電極２４における基準電極３０側の表面との距離が「Ｌ２」になるように（図９（ｃ）参照）、制御電極２３および制御電極２４を上下（垂直）方向に移動する。
【０１３７】
このような制御電極２３，２４の移動と同時に、ライン型ヘッド２０が、上述した実施の形態２の場合と同様に、画素照射時間Ｔｄだけ、発生したマイナスのコロナイオンが制御電極２３，２４の中に設けられた孔２７を透過（通過）する状態（透過状態）に設定する。
【０１３８】
その結果、上記実施の形態１または実施の形態２の場合と同様に、シート媒体１００としての電気泳動シート（改良版）の表面あるいはツイストボール型シートの表面に静電像が形成され、基準電極３０の電位とシート媒体１００の表面電位との間に、所定の電位差が生じる。このため、シート媒体１００における静電像に対応する位置（部位）に所望の情報が書き込まれる。
【０１３９】
以上説明したように、実施の形態３によれば、上述した実施の形態１の場合と同様の作用効果を期待することができる。
【０１４０】
また、実施の形態３によれば、小さな電界強度で反応するようにシート媒体１００が薄く改良された場合には、シート媒体１００が軽量になりハンドリング性が良くなるだけでなく、バイアス電源２６によるコロナイオンの加速が強くなるので、同じイオン照射時間であっても、制御電極２３，２４の中央に設けられた孔２７を通過するイオンの通過量（イオン通過量）が増加することになり、このため、図９に示した速度ｖ４、ｖ５、ｖ６のように、改良前のシート媒体１００を使用した場合と比較して、書き込み速度を上げることができるので、利用者にとっては、シート媒体１枚あたりの書き込み時間が短縮されることとなり、より一層利便性が向上する。
【０１４１】
（実施の形態４）
図１０は本発明の実施の形態４における書き込み装置の構成を示す斜視図、図１１は図１０に示した書き込み装置の制御系を示す図である。
【０１４２】
この実施の形態４の書き込み装置１０は、図１に示した実施の形態１の書き込み装置１０の構成において、検索手段２００を追加した構成になっている。なお、図１０において、図１に示した構成要素と同様の機能を果たす部分には同一の符号を付している。
【０１４３】
検出手段２００は、書き込み装置１０に挿入されたシート媒体１００の光学特性を検出し、この検出結果を判定手段４０に通知する。検出手段２００は、例えばシート媒体１００の反射率を検出する。
【０１４４】
この実施の形態４では、制御手段８０内の記憶部８１には、反射率を示す情報と、シート媒体１００の種類情報と、制御情報とが対応して記憶されている。したがって、シート媒体１００の反射率を知ることができれば、シート媒体１００の種類を知ることができる。
【０１４５】
このように構成された書き込み装置１０では、所定の種類のシート媒体１００が書き込み装置１０に挿入されると、検出手段２００が、このシート媒体１００の反射率を検出（測定）し、図１１に示すように、この検出した結果を判定手段４０に送出する。
【０１４６】
判定手段４０は、検出手段２００からの検出結果を、シート媒体１００の種類を判定した判定結果として制御手段８０に通知する。制御手段８０は、判定手段４０からの判定結果（反射率を示す情報）を基に、記憶部８１からこの反射率を示す情報に対応する、少なくとも制御情報を取得し、この取得した制御情報に基づいて、制御電源２５、移動手段６０、および搬送手段７０の何れかを制御する。
【０１４７】
これ以降の動作は上述した実施の形態１〜３の場合と同様なので、ここでは、その説明は省略する。
【０１４８】
なお、実施の形態４では、温度や湿度等の外部環境によりシート媒体１００の特性が変化した場合であっても、シート媒体１００の所定の一部領域に対して書き込みを行うとともに、その書き込みの結果の反射率を検出手段２００が検出（測定）し、さらに、この検出結果を基にフィードバックをかけることにより、最適な電界を発生する静電像を生成することができる。
【０１４９】
以上説明したように、実施の形態４によれば、シート媒体１００の種類を判定する判定手段４０、およびシート媒体１００の光学的特性を検出する検出手段２００を備えるよう
にしたので、種類の異なるシート媒体１００を用いても自動的に最適な書き込み品質を確保することができ、さらに、あらゆる環境においても書き込み品質を確保することができるので、利用者の利便性が大幅に向上する。
【０１５０】
（実施の形態５）
図１２は本発明の実施の形態５における書き込みシステムの構成を示す斜視図、図１３は図１２に示した書き込みシステムにおけるシート媒体の構成を示す図、図１４は図１２に示した書き込みシステムの制御系を示す図である。
【０１５１】
図１２において、書き込みシステム（処理システム）は、書き込み装置（処理装置）１０と、シート媒体３００とを備えている。なお、図１２において、図１に示した構成要素と同様の機能を果たす部分には同一の符号を付している。
【０１５２】
図１２に示す書き込み装置１０は、図１に示した実施の形態１の書き込み装置１０の構成において、無線タグ通信手段４００を追加した構成になっている。
【０１５３】
シート媒体３００は、図１３に示すように、無線タグ３１０を備えており、この無線タグ（第１の通信手段）３１０は、シート媒体固有の情報を記憶しているメモリ３１１、信号の送受信を行う送受信回路３１２、メモリ３１１にアクセスする制御回路３１３、および書き込み装置１０に設けられた無線タグ通信手段（第２の通信手段）４００との間で信号を送受信するためのアンテナ部３１４を備えている。
【０１５４】
次に、このように構成された書き込みシステムの動作について、図１３および図１４を参照して説明する。
【０１５５】
ここで、メモリ３１１に記憶されるシート媒体固有の情報は、例えば図３に示した制御手段８０内の記憶部８１に記憶されるシート媒体の種類情報であるとする。
【０１５６】
さて、所定の種類のシート媒体３００が書き込み装置１０に挿入されると、書き込み装置１０に備えられた無線タグ通信手段４００は所定周波数の電磁波を送信する。
【０１５７】
この無線タグ通信手段４００からの電磁波は、シート媒体３００に備えられた無線タグ３１０のアンテナ部３１４によって受信される（図１４参照）。
【０１５８】
無線タグ３１０では、送受信回路３１２が、図１３に示すように、アンテナ部３１４を介して無線タグ通信手段４００からの電磁波を受信すると、シート媒体が挿入された旨を制御回路３１３に通知する。
【０１５９】
すると、制御回路３１３は、メモリ３１１に記憶されているシート媒体固有の情報を読出し、この読み出した情報を書き込み装置１０に向けて送信するよう送受信回路３１２に依頼する。
【０１６０】
このようにして制御回路３１３によって読み出されたシート媒体固有の情報は、送受信回路３１２およびアンテナ部３１４を介して、書き込み装置１０の無線タグ通信手段４００に送信される。
【０１６１】
書き込み装置１０では、無線タグ通信手段４００が、シート媒体３００の無線タグ３１０からのシート媒体固有の情報を判定手段４０へ送出する。この判定手段４０は、受け取ったシート媒体固有の情報を、シート媒体の種類を判定した結果として制御手段８０に通知する。
【０１６２】
制御手段８０は、図１４に示すように、判定手段４０からの判定結果つまりシート媒体固有の情報、および記憶部８１の記憶内容に基づいて、制御電源２５、移動手段６０、および搬送手段７０の何れかを制御する。
【０１６３】
これ以降の動作は上述した実施の形態１〜３の場合と同様なので、ここでは、その説明は省略する。
【０１６４】
なお、シート媒体固有の情報を、図３に示した制御手段８０内の記憶部８１に記憶される制御情報とするようにしても良い。この場合、制御手段８０は、記憶部８１を備える必要はなく、判定手段４０からの判定結果つまり制御情報に基づいて、制御電源２５、移動手段６０、および搬送手段７０の何れかを制御すれば良い。
【０１６５】
このとき、制御情報として、イオン照射時間情報、速度情報、距離情報のうち、２つ以上の情報が含まれている場合は、予め指定されるモードに応じた制御情報を採用するようにする。
【０１６６】
上述したように、書き込み装置１０では、判定手段４０が、各種のシート媒体に対応した無線タグ３１０のメモリ３１１に記憶されたシート媒体固有の情報を、無線タグ通信手段４００を通して取得することができるので、ライン型ヘッド２０は、このシート媒体固有の情報に基づいて最適な静電像を生成することができることとなり、よって、書き込み品質を確保することができる。
【０１６７】
なお、実施の形態５において、無線タグ３１０は、無線タグ通信手段４００から放射される所定周波数の電磁フィールド（交流磁場）内においては、アンテナ部３１４において生じる誘起電圧に基づいて動作されるようになっているのが好ましい。
【０１６８】
この理由としては、無線タグ３１０用の電池等の電源を必要としないため、実質的に無線タグ３１０の寿命の制限がなくなるとともに、無線タグ３１０自体の小型軽量化を実現することができ、さらに、電池交換作業が不要となりメンテナンスフリーを実現することができるからである。さらには、無線タグ自身は安価に提供されているので、電池等の電源を必要としない分、シート媒体もより一層安価に実現することができる。
【０１６９】
以上説明したように、実施の形態５によれば、書き込み装置１０に備えられた無線タグ通信手段４００が、シート媒体３００に備えられたタグ情報としての無線タグ３１０との無線通信によりシート媒体固有の情報を取得し、書き込み装置１０では、その取得したシート媒体固有の情報に基づいて書き込みまたは消去を行うようにしたので、種類の異なるシート媒体を用いても自動的に最適な書き込み品質を確保することができ、利用者の利便性を大幅に向上させることができる。
【産業上の利用可能性】
【０１７０】
本発明は、紙への印刷とは異なり繰り返し利用することができるシート媒体に対する書き込みまたは消去を実現する処理装置および処理システムであり、さらに消耗品も発生しない処理装置および処理システムであるため、環境負荷の低減に貢献できるプリンタなどの画像形成装置として有用である。
【図面の簡単な説明】
【０１７１】
【図１】本発明の実施の形態１における書き込み装置の構成を示す斜視図
【図２】図１に示した書き込み装置のライン型ヘッドを示す図
【図３】図１に示した書き込み装置の制御系を示す図
【図４】実施の形態１における各種のシート媒体に対する１ライン当たりの時間に対するイオン照射時間を説明する図
【図５】図４に示したイオン照射時間分だけ、各シート媒体にイオンを照射したときの当該各シート媒体に形成される静電像の様子を示す図
【図６】実施の形態１における書き込み装置の応用例を示す図
【図７】本発明の実施の形態２における書き込み装置における画素照射時間を説明する図
【図８】実施の形態２における各種のシート媒体に対する書き込みの書き込み速度を変えた場合の各種のシート媒体に形成される静電潜像の様子を示す図
【図９】本発明の実施の形態３における書き込み装置内の制御電極とシート媒体との距離を変えた場合の各種シート媒体に形成される静電像の様子を示す図
【図１０】図１０は本発明の実施の形態４における書き込み装置の構成を示す斜視図
【図１１】図１０に示した書き込み装置の制御系を示す図
【図１２】本発明の実施の形態５における書き込みシステムの構成を示す斜視図
【図１３】図１２に示した書き込みシステムにおけるシート媒体の構成を示す図
【図１４】図１２に示した書き込みシステムの制御系を示す図
【図１５】従来の装置の構成を示す図
【符号の説明】
【０１７２】
１０    書き込み装置（処理装置）
２０    ライン型ヘッド（電界生成手段）
２１    イオン源
２２    コロナワイヤ
２３，２４    制御電極
２５    制御電源
２６    バイアス電源
３０    基準電極
４０    判定手段
５０    コロナイオン
６０    移動手段
７０    搬送手段
８０    制御手段
８１    記憶部
１００，３００    シート媒体
２００    検出手段
３１０    無線タグ（第１の通信手段）
３１１    メモリ
３１２    送受信回路
３１３    制御回路
３１４    アンテナ部
４００    無線タグ通信手段（第２の通信手段）
【図１】
2006035478.tif 000003
【図２】
2006035478.tif 000004
【図３】
2006035478.tif 000005
【図４】
2006035478.tif 000006
【図５】
2006035478.tif 000007
【図６】
2006035478.tif 000008
【図７】
2006035478.tif 000009
【図８】
2006035478.tif 000010
【図９】
2006035478.tif 000011
【図１０】
2006035478.tif 000012
【図１１】
2006035478.tif 000013
【図１２】
2006035478.tif 000014
【図１３】
2006035478.tif 000015
【図１４】
2006035478.tif 000016
【図１５】
2006035478.tif 000017